(57)【要約】【課題】簡単な構成で、操作性がよく、眼鏡に安全に固定する、画像を表示する小型表示装置を提供する。【解決手段】眼鏡に固定する小型表示装置であって、映像を表示する表示部と、眼鏡の一部を挟持するクリップ部と、表示部を眼鏡に対して非接触状態を維持し、眼鏡の片眼のレンズの前面に固定するため、クリップ部と表示部とを連結する支持体と、外部装置からの映像信号を入力し、入力した映像信号の表示部への供給、並びに、表示部への電力供給源として機能する電力供給部とを備える。【選択図】図１
2010041434.tif 000002
【特許請求の範囲】
【請求項１】
眼鏡に固定する小型表示装置であって、
映像を表示する表示部と、
前記眼鏡の一部を挟持するクリップ部と、
前記表示部を前記眼鏡に対して非接触状態を維持し、前記眼鏡のレンズの前面に固定するため、前記クリップ部と前記表示部とを連結する支持体と、
外部装置からの映像信号を入力し、入力した映像信号の前記表示部への供給、並びに、前記表示部への電力供給源として機能する電力供給部と
を備えることを特徴とする小型表示装置。
【請求項２】
前記電力供給部は、前記表示部に、入力された映像信号と電力とを、共通のケーブルで供給することを特徴とする請求項１に記載の小型表示装置。
【請求項３】
前記クリップ部の挟持面に、弾性部材が設けられていることを特徴とする請求項１又は２に記載の小型表示装置。
【請求項４】
前記支持体は、前記表示部の向きを３次元的に変更可能なように支持することを特徴とする請求項１乃至３のいずれか１項に記載の小型表示装置。
【請求項５】
前記表示部によって表示される映像を上下反対、若しくは、左右反対に切り替えることを指示する指示部を、更に備え、
前記指示部による指示に応じて、前記映像を上下反対、若しくは、左右反対として前記表示部に表示することを特徴とする請求項１乃至４のいずれか１項に記載の小型表示装置。
【請求項６】
前記電力供給部は、前記表示部とは別体であることを特徴とする請求項１乃至５のいずれか１項に記載の小型表示装置。
【請求項７】
前記外部装置はカメラであって、
該カメラへ撮影を指示するための撮影指示部は、前記表示部から離れた位置に設けられることを特徴とする請求項１乃至６のいずれか１項に記載の小型表示装置。
【請求項８】
前記表示部への電力供給を停止する停止指示部を、更に備え、
前記停止指示部による指示に応じて、前記表示部への電力供給を停止することを特徴とする請求項１乃至７のいずれか１項に記載の小型表示装置。
【請求項９】
眼鏡に固定する小型表示装置であって、
映像を表示する表示部と、
外部装置からの映像信号と音声信号を入力し、入力した映像信号の前記表示部への供給、並びに前記表示部への電力の供給源として機能する電力供給部とを有し、
前記電力供給部は、前記映像信号と前記音声信号を入力するケーブルと、入力された少なくとも前記映像信号を前記電力とともに前記表示部に供給するための共通のケーブルを備え、入力された前記音声信号を再生すべく出力する出力端子を前記電力供給部もしくは前記表示部の少なくとも一方に設けることを特徴とする小型表示装置。
【請求項１０】
眼鏡に固定する小型表示装置であって、
映像を表示する表示部と、
カメラである外部装置からの映像信号を入力し、入力した映像信号の前記表示部への供給、並びに、前記表示部への電力供給源として機能する電力供給部と、
前記カメラへ撮影を指示するための撮影指示手段とを有し、
前記電力供給部は、入力された映像信号を前記電力とともに前記表示部に供給するための共通のケーブルとを備え、前記撮影指示手段を、前記表示部から離れた位置であって、かつ、前記ケーブルに沿った位置に設けることを特徴とする小型表示装置。
【発明の詳細な説明】
【技術分野】
【０００１】
本発明は、画像を表示する小型表示装置に関する。
【背景技術】
【０００２】
一般的なデジタルカメラは、静止画の撮影時にカメラ本体が備える液晶画面にファインダ画像を表示し、ユーザがファインダ画像を確認しながら撮影することができるよう構成されている。また、本体に備える記憶装置に保存した撮影データを液晶画面に表示し確認することができる。
【０００３】
一方で、撮像機能を有するカメラ部と表示機能を有するファインダユニットとの別体構成にすることができるデジタルカメラが紹介されている（特許文献１）。
【０００４】
また、眼鏡に取付けた画像表示装置にて、DVDなどの記録媒体に記録されていた画像データを表示する画像表示装置が紹介されている（特許文献２）。
【特許文献１】特開平７−１９９２８０号公報
【特許文献２】特許第４０１８６７７号公報
【発明の開示】
【発明が解決しようとする課題】
【０００５】
しかしながら、特許文献１のようなカメラは、専用のファインダユニットを眼前に取付ける必要があるため、眼鏡を使用している人は、そのファインダユニットと、眼鏡のレンズが重なり合い、表示画像が見ずらく、使用上も煩わしさを伴うという問題があった。
【０００６】
また、特許文献２のような画像表示装置は、眼鏡に固定されて使用されている。しかしながら、眼鏡レンズを加工したり、吸盤によって貼り付けた画像表示装置を取り外す際に、思わぬ力が加わり眼鏡を傷つけてしまうというおそれがあった。従って、撮影時に必要なだけのファインダ機能としては不向きであった。従ってこのような表示装置が固着された専用の眼鏡を別途用意する必要があった。
【０００７】
そこで、上記の点に鑑み、本発明は、このような問題を解決し、簡単な構成で、操作性がよく、眼鏡に安全に固定する、画像を表示する小型表示装置を提供することを目的とする。
【０００８】
また、カメラのファインダとして眼鏡に固定する場合はシャッター操作等カメラの操作性が煩雑となる不都合があった。本発明は、カメラや眼鏡に依存せず、簡単な構成で、カメラの操作性がよく、眼鏡に固定する小型表示装置を提供することを目的とする。
【課題を解決するための手段】
【０００９】
上記課題を解決するため、本発明に係る小型表示装置は、眼鏡に固定する小型表示装置であって、映像を表示する表示部と、眼鏡の一部を挟持するクリップ部と、表示部を前記眼鏡に対して非接触状態を維持し、眼鏡のレンズの前面に固定するため、クリップ部と表示部とを連結する支持体と、外部装置からの映像信号を入力し、入力した映像信号の表示部への供給、並びに、表示部への電力供給源として機能する電力供給部とを備える。ここで眼鏡の一部とは眼鏡のレンズ、レンズフレーム、サイドフレームを指す。
【００１０】
また本発明に係る小型表示装置は、眼鏡に固定する小型表示装置であって、映像を表示する表示部と、外部装置からの映像信号を入力し、入力した映像信号の前記表示部への供給、並びに、前記表示部へ電力供給源として機能する電力供給部と、前記外部装置はカメラであって、該カメラへ撮影を指示するための撮影指示手段とを有し、前記電力供給部は、入力された映像信号を前記電力とともに前記表示部に供給するための共通のケーブルとを備え、前記撮影指示手段を、前記表示部から離れた位置であって、かつ、前記ケーブルに沿った位置に設ける。
【発明の効果】
【００１１】
本発明によれば、簡単な構成で、操作性がよく、眼鏡に安全に固定する、画像を表示する小型表示装置を提供することができる。
【００１２】
また本発明は、カメラや眼鏡に依存せず、簡単な構成で、カメラの操作性がよく、眼鏡に固定する小型表示装置を提供することができる。
【発明を実施するための最良の形態】
【００１３】
以下に、本発明を実施するための最良の形態について、図面を参照しながら詳しく説明する。なお、同一の構成要素には同一の参照番号を付して、説明を省略する。
【００１４】
（実施例１）
図１に、本発明に係る実施形態における小型表示装置を含むシステムの外観図を示す。なお、本実施例では、小型表示装置に配接される外部機器として、カメラが示されているが、これに限定されず、例えばビデオカメラ、携帯カメラ等でもよい。
【００１５】
小型表示装置１は、カメラ２０のAV端子３０とケーブル４０を介して配接されており、中間部材２００を介して、眼鏡５０の眼鏡レンズ５１に取付けられて装着される。
【００１６】
なお、本実施例では、眼鏡レンズ５１に小型表示装置１を取付けた例についての説明を行うが、これに限定されず、眼鏡のサイドフレーム５２に小型表示装置１を取付ける事も可能である（後述する）。
【００１７】
小型表示装置１とカメラ２０の間に配接される電力供給部６０は、小型表示装置１に電力を供給する電力供給源としての一次もしくは二次電池等が格納される。この電力供給部６０により、カメラ２０からの電力を必要としないので、小型表示装置１は、カメラ２０の構成に依存せず、電力を使用することができる。
【００１８】
また、電力供給部６０は、後述するカメラ２０のAV端子３０から出力されるAV信号を受信後、ケーブル４０を介して小型表示装置１にそのままAV信号を引き渡す。よって、カメラ２０に特別な構成を必要とせず、カメラ２０の構成に依存しないで、カメラ２０にて撮像された画像を小型表示装置１に表示することが可能である。
【００１９】
なお、電力供給部６０の内部構成については、後述する。電力供給部６０には、後述するシャッターボタン９０（撮影指示部）が設けられている。
【００２０】
図２は、本実施形態における小型表示装置１の透視図、図３は分解図を示す図である。
【００２１】
小型表示装置１は、略直方体形状に形成されたケース１２０を備えている。このケース１２０は、これには限られないが、例えば、樹脂製である。ケース１２０の後方の面には、鏡筒７０が設けられており、鏡筒７０は、略円筒形状とされている。なお、ここでは「前方」という語は、眼鏡を使用者が顔に装着した場合の顔から遠い側を意味し、「後方」とは、顔に近い側を意味するものとする。
【００２２】
ケース１２０の後方の面には、また、穴１００が設けられている。穴１００の内部には、所定の広さの空間が設けられている。穴１００の開口部分には、穴１００の開口を塞ぐようにして板状の弾性片１１０が４枚取付けられている。この弾性片１１０は、弾性を有するものとなっており、その厚さ方向に多少曲折できるようになっている。
【００２３】
小型表示装置１は、ケーブル４０と接続されている。このケーブル４０はカメラ２０のAV端子３０と、電力供給部６０を介して配接され、後述するように、カメラ２０からの画像信号が、電力供給部６０を介して小型表示装置１へと送られるとともに電力も供給される。即ち、共通の１本のケーブル４０によって、画像信号（映像信号）と電力とが小型表示装置１に供給される。ケーブル４０は、眼鏡５０が備えるツルに、例えば断面略Ｃ字形状に形成された部材（この部材については、図示を省略する。）でかしめることで固定することができる。この、ケーブル４０は、小型表示装置１の外側面（小型表示装置１を眼鏡５０に装着した場合における使用者の側方側の面）に接続されている。
【００２４】
また、ケース１２０の内部には、変換基板１３０、バックライトユニット１４０、液晶ディスプレイ８０が設けられている。鏡筒７０の内部には拡大レンズ１５０が設けられている。
【００２５】
変換基板１３０は、ケーブル４０と接続されており、ケーブル４０を介してカメラ２０から送られてくる画像信号を、液晶ディスプレイ８０に表示できるようなものに変換し、液晶ディスプレイ８０に画像を表示させるものである。より詳細には、変換基板１３０は、小型表示装置１の外部からケーブル４０を介して送られてくるビデオ信号やＲＧＢ信号などの画像信号を受信して、この画像信号に基づく画像を液晶ディスプレイ８０に表示する。
【００２６】
もっとも、変換基板１３０は、小型表示装置１の内部に設けられている必要はなく、そのすべて、或いは一部が、小型表示装置１外に設けられていても構わない。また、変換基板１３０は、ケーブル４０を介さずに、画像信号を無線で受信するようになっていてもよい。
【００２７】
バックライトユニット１４０は、液晶ディスプレイ８０を背後から照明するバックライトと、このバックライトを制御する制御回路とを含んでおり、制御を行いながらバックライトを点灯させるものとなっている。
【００２８】
尚、液晶ディスプレイ８０の代わりに有機ＥＬ等の自発光タイプの表示素子を使用することも可能で、その場合は、バックライトユニットは不要となる。
【００２９】
液晶ディスプレイ８０は、変換基板１３０の制御下で、動画、或いは静止画である所定の画像を表示するものである。
【００３０】
拡大レンズ１５０は、液晶ディスプレイ８０に表示された画像の像光を、拡大するものである。なお、拡大レンズ１５０は、１枚である必要はなく、複数枚のレンズから構成されている場合もある。この実施形態の拡大レンズ１５０は、また、鏡筒７０を回転させることで前後動（光軸に沿う方向での移動）するようになっている。
【００３１】
この拡大レンズ１５０の前後動は、液晶ディスプレイ８０からの像光の結像位置を変化させるためのものである。これにより、使用者の視力の良し悪しによらず、或いは使用者が使っている眼鏡５０の眼鏡レンズ５１の度が使用者の目に合っていないなどの事情があったとしても、使用者の目の網膜に上述の画像をしっかり結像させられるようになる。拡大レンズ１５０を前後動させるための構成はどのようなものでもよいが、例えば、鏡筒７０を２重の構造とし、その内側の構造物の外面と、外側の構造物の内面にネジ切りをして螺合させるとともに、鏡筒７０の２重にした内、外側の構造物をケース１２０に固定し、且つ鏡筒７０の２重にした内、内側の構造物の内面に拡大レンズ１５０を固定することで実現できる。
【００３２】
なお、この実施形態では、鏡筒７０を回転することで拡大レンズ１５０が前後動を行うようになっているが、これに限定されず、例えば拡大レンズ１５０の光軸方向への移動は、ケース１２０に設けられたボタン等でも可能である。
【００３３】
また、拡大レンズ１５０の光軸上の位置が互いに異なっている複数の鏡筒７０であって、ケース１２０に対して着脱自在なものを用意しておき、使用者の視力などに応じて鏡筒７０ごと拡大レンズ１５０を交換できるようにしてもよい。
【００３４】
また、この実施形態の拡大レンズ１５０は、上述したように、鏡筒７０を回転させることで前後動するようになっている。よって、使用者は、必要に応じて拡大レンズ１５０を前後に移動させ、画像を見やすい位置に拡大レンズ１５０を移動させることができる。
【００３５】
使用者がシャッターボタン９０を押すと、カメラ２０の不図示のシャッターボタンが押された場合と同様に被写体の撮影が実施される。シャッターボタン９０が押されると、シャッターボタン９０が押されたという撮影指示の信号が後述するカメラ２０のＣＰＵ２１へ送信される。ＣＰＵ２１は、このコマンドを受信すると、カメラ２０の不図示のシャッターボタンが押されたときと同様に被写体の撮影を実施する。ここで、シャッターボタン９０が押されたという撮影指示の信号をカメラ２０に送信するには、後述するインタフェース９６を介して送信するが、赤外無線にて送信や、ケーブル４０を介した電気信号にて送信することも可能である。
【００３６】
また、不図示のケーブルレリーズを用いて、カメラ２０の不図示のシャッターボタンを押すことも可能である。
【００３７】
シャッターボタン９０は、電力供給部６０と同体の構成としたが、これに限定されず、小型表示装置１や電力供給部６０と別体の構成（すなわち小型表示装置１と離れた位置）としても良い。眼鏡の小型表示装置１からケーブル４０にそって離れた、胸元あたりの途中位置（表示装置から略２０ｃｍ以上離れた位置）にシャッターボタン９０を設けることで、表示装置への振動を防止できシャッター操作がし易くなる。
【００３８】
なお、本実施形態では、シャッターボタン９０に限定されず、他の方法（カメラのリモートシャッター入力端子へスイッチ信号が入力できるラインをケーブル４０の内側または外側に物理的に沿って設けてケーブルの上記途中位置にシャッター指示入力ができるスイッチを配置する）によって、カメラ２０のシャッターボタンが押された場合と同様にカメラ２０に撮影指示することもできる。
【００３９】
中間部材２００は、図４に示したように、板状のベース２１０と、ベース２１０の前面からベース２１０の前方に突出する棒状の突出体２２０とを備えている。
【００４０】
ベース２１０は、この実施形態では略５ｍｍ角の正方形とされている。突出体２２０の先端には、球状の球体２２１が設けられている。この球体２２１の直径は、上述した穴１００の内部にやや遊びを持った状態で挿入可能な大きさとなっている。
【００４１】
ベース２１０の背面には、層状とされた粘着剤によって形成された粘着剤層２２２が設けられている。この粘着剤層２２２は、その表面を眼鏡レンズ５１の平滑な面に当接させることで、中間部材２００を眼鏡レンズ５１に固定できるようなものとされる。なお、後述するように、眼鏡レンズ５１に取付けられた中間部材２００には、小型表示装置１が取付けられる。
【００４２】
粘着剤層２２２は、小型表示装置１が取付けられた中間部材２００を眼鏡レンズ５１に安定して固定できる程度の粘着力を有するものとされる。もっとも、この実施形態では、粘着剤層２２２の眼鏡レンズ５１への取付けは着脱自在なものとされる。つまり、粘着剤層２２２は、中間部材２００に大きな衝撃や強い力を加えない限り中間部材２００を眼鏡レンズ５１に固定できるけれども、強い力を加えれば中間部材２００を眼鏡レンズ５１から取外せる程度の粘着力を持つものとされる。
【００４３】
球体２２１は、その先端側が穴１００の奥に当接し、且つその基端側が弾性片１１０と当接した状態となる。これにより、球体２２１は、穴１００の内部で穴１００の内側面との摩擦力により一時的に固定され、弾性片１１０によって、小型表示装置１の使用中における「抜け」を防止できる。また、弾性片１１０が有する弾性により、球体２２１を穴１００に着脱することが可能となる。以上のような構成により、小型表示装置１は、中間部材２００を介して眼鏡レンズ５１の前方の面に固定されることになる。
【００４４】
本実施形態においては、以上のような方法の他に、例えば、穴１００の入り口の径を、球体２２１の径よりも若干小さくすることによって、球体２２１を穴１００に固定するようにしても良い。その場合に、例えば、球体２２１を加圧することによって穴１００に押し込む「無理嵌め」によって組み立てる。以上のような構成にすることによって、球体２２１の穴１００からの抜け防止も実現することができる。
【００４５】
この実施形態の小型表示装置１は、片眼の眼鏡レンズ５１の前方の面に非接触状態を維持するように取付けられた状態で、上下方向、左右方向、或いはその間の斜め方向など、３次元的に、所望の方向に球体２２１を中心に揺動することができる。使用者は、鏡筒７０が自分の目の瞳の方向を向いていない場合には、言い換えれば、拡大レンズ１５０の光軸が自分の目の瞳と重ならない場合には、重なるよう小型表示装置１を揺動させて、小型表示装置１の角度を調整することができる。また、小型表示装置１は、突出体２２０の軸を中心に回転することも可能である。例えば、使用者は、使用中には、小型表示装置１を図６の様にレンズ面に対して水平にしておき、使用しない場合には、レンズ面に対して垂直となるように回転させることができる。その結果、使用しない場合に、使用者は、視界を非常に瞬時に広く確保することができる。
【００４６】
垂直に回転させたときは、後述のように表示装置への電力を遮断して節電できるようにしている。
【００４７】
なお、本実施例では、中間部材２００は、小型表示装置１を眼鏡に取り付ける「支持体」の一例として機能する。また、中間部材２００に限定されず、後述する他の方法によって、小型表示装置１を眼鏡レンズ５１に取付けた状態で、上下方向、左右方向、或いはその間の斜め方向など、所望の方向に揺動させるようにしても良い。
【００４８】
この支持体により、小型表示装置１を眼鏡５０の眼鏡レンズ５１に自由な位置、角度で取付けることが可能となり、使用者各々の目の位置、大きさ、見易さ等にあわせて調整ができる。
【００４９】
＜中間部材２００を備えない場合の支持体の変更例＞
以下、中間部材２００を備えない場合における小型表示装置１の例について（変形例１〜２）説明する。
【００５０】
[変形例１]
小型表示装置１は、図５の（ａ）に示したように、このケース１２０には、ケース１２０に設けられていた穴１００と、弾性片１１０がない。その代わりに、穴１００があった位置に吸盤１６０が設けられている。吸盤１６０は、柔軟性のある素材、例えばゴムでできている。
【００５１】
吸盤１６０は、図５の（ｂ）に示したようにしてケース１２０に取付けられている。吸盤１６０は、ケース１２０の背面に取付けられた第１軸体１７１及び第１軸体１７１と直交するようにして、第１軸体１７１の反対側に設けられている２本の第２軸体１７２を介してケース１２０に固定されている。
【００５２】
第１軸体１７１は、その両端を受ける軸受け１７３によりケース１２０に取付けられており、且つその軸の中心軸周りに回転できるようになっている。
【００５３】
他方、第２軸体１７２は、第１軸体１７１にその基端が固定されており、第１軸体１７１の上述の回転にしたがって第１軸体１７１を中心として回転できるようになっている。
【００５４】
他方、吸盤１６０の裏側には、吸盤１６０と一体的に形成された２つの把持体１４１が設けられている。２つの把持体１４１は、第２軸体１７２に、第１軸体１７１を挟むような位置関係で取付けられる。把持体１４１には、切欠から第２軸体１７２をその内部に入れることのできる孔が開けられており、第２軸体１７２を切欠からその孔の中に押込むことで、第２軸体１７２に取付けられる。
【００５５】
この小型表示装置１は、吸盤１６０を眼鏡レンズ５１に吸着させることで、眼鏡レンズ５１に着脱自在に固定できる。
【００５６】
このような状態でケース１２０に取付けられた吸盤１６０は、ケース１２０に対して、第１軸体１７１と第２軸体１７２を回転の軸として揺動させることができるようになっている。
【００５７】
この実施形態では、第１軸体１７１は、ケース１２０の長手方向に沿うように、第２軸体１７２はそれに垂直になるようにされており、眼鏡レンズ５１に取付けられた小型表示装置１は、上下方向及び左右方向に揺動できるようになっている。
【００５８】
なお、吸盤１６０の位置は、図５の（ａ）に示した位置以外で、例えば、鏡筒７０の先端付近外側に設けるようにしても良い。
【００５９】
[変形例２]
変形例１にかかる小型表示装置１は、中間部材２００により、眼鏡レンズ５１に取付けていたが、この変形例２における小型表示装置１は、中間部材２００の代わりにクリップ４００（クリップ部）を備える点が、変形例１の場合と異なる。
【００６０】
図６に示す、小型表示装置１に備えられた突出体２２０には、クリップ４００が設けられ、クリップ４００は眼鏡レンズ５１を挟む構成で、その挟持面には、弾性部材５００、６００が設けられている。
【００６１】
クリップ４００は、眼鏡レンズ５１を挟むことができ、かつ着脱自在なものであれば、構成は何でもよい。
【００６２】
本例のように、クリップ４００を用いることにより、図６に示すように、眼鏡レンズ５１の端部を挟持して小型表示装置１を眼鏡レンズ５１に取り付けることができる。その結果、吸盤を着脱する場合に要されるほどの力は不要であるので、取り付け及び取り外しが極めて容易となる。また、吸盤に比べて、挟持する面積はより小さくてすむ。特に、眼鏡レンズ５１の端部を挟む場合には、中間部材２００のベース２１０（即ち、クリップ４００に相等）によって視界が阻まれず、しかも、弾性部材５００及び６００によって眼鏡レンズ５１を不用意に傷つけることがない。
【００６３】
また、本例で用いられるクリップ４００は、図７に示すように挟持されても良い。図７に示すように、突出体２２０の長さを長くし、突出体２２０とクリップ４００との接合面が図６に示すクリップの挟持面の裏面ではなく、挟持面に直交する面とされている。上述のように、クリップ４００においては挟持する面積が少なくてすむので眼鏡のサイドフレーム５２（又は、レンズフレーム）に取り付けることも可能である。例えば、そのような構成によって、左右のサイドフレームを問わず、取り付けることが可能である。また、上方向からサイドフレームを挟むことも可能であり、下方向からサイドフレームを挟むことも可能である。
【００６４】
弾性部材５００、６００は、眼鏡レンズ５１を傷つけないように、例えば樹脂などの柔軟性のある素材で形成されている。
【００６５】
また、図８に示すように、弾性部材６００が、内側が空洞の椀型とされても良い。、その場合には、弾性部材６００の面積すべてが眼鏡レンズ５１に接触せず、少ない面積の接触のみで小型表示装置１を眼鏡レンズ５１に取付けすることが可能である。よって、眼鏡レンズ５１を傷つけるおそれを更に低減することができる。また、弾性部材５００も弾性部材６００と同様に構成しても良い。ここで、図８に示す弾性部材６００は、椀型であるがレンズ面に吸着して取り外しにおける使い勝手が低下することを防ぐために、空気抜けのための例えば、穴があけられてレンズに吸着しないようにしている。
【００６６】
この実施形態における小型表示装置１は、眼鏡レンズ５１に取付けた状態で、ほぼ左右方向と上下方向に揺動するようになっている。
【００６７】
また使用者は、自分が画像を見易くなる位置に小型表示装置１の取付けができるので、使用者各々に適した画像の見易い角度、及び位置の調整が可能となる。
【００６８】
また、クリップ４００にて眼鏡レンズ５１へ小型表示装置１の自由な取付けができるので、小型表示装置１と突出体２２０は、小型表示装置１の使用中に容易に脱着できない構成とされている必要がある。
【００６９】
球体２２１、穴１００、突出体２２０は、図６に示すように、球体２２１が穴１００に挿入されるように構成される。その場合には、例えば、まず、小型表示装置１のケース１２０が図３に示すように穴１００の中心を通るように２つの部分に分離される（穴１００が２つの半球に分離される）。その２つの半球によって球体２２１を挟みこむことにより生じた穴１００の内壁圧によって、球体２２１を固定する。小型表示装置１は、球体２２１の軸のもと上下方向、水平方向の回転可能である。また、突出体２２０は、クリップ４００の挟持面からねじ止めされてクリップ４００に固定される。以上のような構成の他に、図６に示す穴１００近傍に図４に示す弾性片１１０を設けるようにしても良い。そのように構成された場合の小型表示装置１の動作は、図４における説明と同じである。
【００７０】
＜カメラ２０に係る内部構成＞
図９は、カメラ２０に係る一般的な内部構成のブロック図である。
カメラ２０は、カメラレンズ２８により得られた像から光電変換デバイス（ＣＣＤ、ＣＭＯＳなど）を用いて画像信号のデータを生成する撮像部２４と、撮像部２４で生成した生データをＪＰＥＧ等の静止画像やＭＰＥＧ４等の動画像に変換する画像処理部２５と、変換した画像信号のデータ（静止画像および動画像）を表示する液晶表示部２７と、小型表示装置１と接続して一体化するためのAV端子を含むインタフェース２６と、液晶表示部２７よりも画素数が大きい電子ビューファインダー２０１を有している。インタフェース２６は、変換した画像信号のデータ（静止画像および動画像）を小型表示装置１にケーブル４０を介して出力する。また、撮影した画像信号のデータを不図示のメモリに保存し、保存したメモリから画像信号のデータを取り出し、液晶表示部２７に再生することも、小型表示装置１にケーブル４０を介して再生することも可能である。
【００７１】
インタフェース２６は、AV端子に限定されず、例えばDV端子等、外部機器にカメラ２０からの画像信号を出力できるものであればよい。
【００７２】
さらに、上記各部の制御プログラムを実行して制御するＣＰＵ２１、制御プログラムを記憶しているＲＯＭ２２、一時記憶領域として用いられるＲＡＭ２３、不図示のシャッターボタンを有している。そして、上記それぞれの部位はシステムバス２９により相互に接続されている。
【００７３】
＜小型表示装置１に係る変換基板１３０の内部構成＞
図１０は、小型表示装置１に係る変換基板１３０の例示的な内部構成のブロック図である。小型表示装置１は、カメラ２０のインタフェース２６から出力された画像信号の受信を行い、カメラ２０と接続して一体化するためのインタフェース１６と、受信した画像信号のデータ（ＪＰＥＧ等の静止画やＭＰＥＧ４等の動画）に復号処理などを行う画像処理部１５と、画像を表示する表示部１４を有している。
【００７４】
なお、表示部１４はたとえば液晶ディスプレイ８０で構成される。例えば、表示部１４は、２４万画素であり、カメラ２０の液晶表示部２７は２０万画素である。つまり、表示部１４は、カメラ２０の液晶表示部２７やカメラ２０の電子ビューファインダー２０１と同じか、それらより大きい画素数のものであり、また、同じ視野をもっている。
【００７５】
さらに、上記各部の制御プログラムを実行して制御するＣＰＵ１１、制御プログラムを記憶しているＲＯＭ１２、一時記憶領域として用いられるＲＡＭ１３を有している。そして、上記それぞれの部位はシステムバス１７により相互に接続されている。
【００７６】
＜電力供給部６０に係る内部構成＞
図１１は、電力供給部６０の例示的な内部構成のブロック図である。電力供給部６０は、カメラ２０及び小型表示装置１と接続するためのインタフェース６６と、小型表示装置１に電力を供給するための電源部６４と、電力を制御する電源制御部６５を含んでいる。
【００７７】
カメラ２０のインタフェース２６のAV端子３０（図１）から出力された画像信号は、インタフェース６６を介して、そのまま小型表示装置１のインタフェース１６へ出力される。以上においては、電力供給部６０とＡＶ端子３０との間は、従来用いられているケーブルにより画像信号（映像信号）が送信される例について説明した。ここで、電力供給部６０とＡＶ端子３０との間で、音声信号も流すケーブルを使うこともできる。その場合、電力供給部６０に（、インタフェース６６に）イヤホン端子を設けそのケーブルの音声部分を接続し、この端子にイヤホンを接続して、音声を聞くことも可能である。この場合、画像信号はそのまま小型表示装置１へ出力されるが、小型表示装置１へのケーブル４０は、カメラ２０から電力供給部６０までのケーブルと異なり、音声信号を小型表示装置１へ流さない。
【００７８】
尚、小型表示装置１に音声出力端子（イヤホン直結も含む）を設けて電力供給部６０から音声信号をケーブル内の別線で流してこの端子から取り出せる構成とすることもできる。これにより電力供給部から使用者の頭部へのケーブルが一本となって、すっきりする。電力供給部に音声出力端子を有する構成には、汎用の音声入力端子を備えた各種イヤホンやヘッドホンを使えるメリットがある。電力供給部６０、小型表示装置１の一方又は両方にこの音声出力端子を設けることでイヤホンの使用自由度が増えて便利である。
【００７９】
さらに、上記各部の制御プログラムを実行して制御するＣＰＵ６１、制御プログラムを記憶しているＲＯＭ６２、一時記憶領域として用いられるＲＡＭ６３を有している。そして、上記それぞれの部位はシステムバス６７により相互に接続されている。
【００８０】
また、図６に示すように、角度スイッチ１０００（電源供給停止部）を小型表示装置１のケース１２０に設け、小型表示装置１による目視を止めて小型表示装置１をレンズ面に対して垂直方向に回転させることにより、角度スイッチ１０００が突出体２２０に押圧され（停止指示部）、電源部６４からの電源供給が停止されるように構成しても良い。すなわち、使用者の視野が小型表示装置１から外れた場合（眼鏡レンズ５１と小型表示装置１が略平行でなくなった場合）、電源部６４をオフする構成も可能である。また、以上のような構成の他に、電力供給部６０がカメラ２０から画像信号（映像信号）を入力していない場合に、ＣＰＵ６１がその旨を検知し、電源部６４をオフするようにしても良い。
【００８１】
更には、画像信号が入力されなくなった時点から予め定められた時間が経過した後に、ＣＰＵ６１が電源部６４をオフするようにしても良い。即ち、待機モード等の動作として、電源部６４が一定時間後にオフするように構成しても良い。更に、画像信号が再度入力されると、ＣＰＵ６１は、その旨を検出し、電源部６４を再度オンとするようにしても良い。
【００８２】
また、電力供給部６０には、シャッターボタン９０を備えた構成も可能である。
【００８３】
また、カメラ２０からのAV出力された画像信号（映像信号）をそのまま小型表示装置１へ出力する構成としたが、カメラ２０からの画像信号をインタフェース６６で受信し、CPU６１で信号を加工することも可能である。これにより、例えば、電池の残量が少なくなった場合、電池の残量電圧に応じたグラフ信号、または所定値以下での警告信号を、画像信号に合成して、小型表示装置１に送信し、表示部１４（液晶ディスプレイ８０）にて従量表示させることができる。
【００８４】
また、カメラ２０に記憶された撮影画像を小型表示装置１で再生する場合、画像再生の制御をするための不図示のリモコン制御部を備える構成とすることも可能である。
【００８５】
＜シャッターボタン９０に係る内部構成＞
図１２は、シャッターボタン９０の例示的な内部構成のブロック図である。
【００８６】
シャッターボタン９０は、カメラ２０及び小型表示装置１と接続するためのインタフェース９６と、シャッターボタンを押されたことを検知する入力部９５と、入力部からの信号で不図示のソレノイドを制御するシャッター制御部９４を含んでいる。
【００８７】
シャッター制御部９４は、ソレノイドにより、不図示のケーブルレリーズを押して、ケーブルレリーズの先に設けたカメラ２０のレリーズボタンをオンにして撮影する。レリーズボタンは、カメラ２０のシャッターボタンを押圧するようシャッターボタンを被うように固定されている。
【００８８】
インタフェース９６は、もし、カメラ２０が赤外通信機能を持っていた場合には、赤外無線の送受信を行う。なお、もしカメラ２０が電気信号の送受信を行える場合は、ケーブル４０を介して電気信号の送受信を行うことも可能である。また、公知技術として、PCからUSBインタフェースを介して、カメラ２０のシャッター制御ができるソフトウェアを、ROM９２に記憶させ、インタフェース９６を介して、カメラ２０の不図示のUSB端子と信号の送受信を行い、カメラ２０のシャッター操作入力を行うことも可能である。
【００８９】
さらに、上記各部の制御プログラムを実行して制御するＣＰＵ９１、制御プログラムを記憶しているＲＯＭ９２、一時記憶領域として用いられるＲＡＭ９３を有している。そして、上記それぞれの部位はシステムバス９７により相互に接続されている。
【００９０】
＜小型表示装置１の動作＞
次に、小型表示装置１の動作を説明する。なお、カメラ２０における撮影時の動作についての詳細は、公知技術であるので、ここでは省略する。
【００９１】
小型表示装置１を、配接されたケーブル４０を介して、カメラ２０のAV端子３０（インタフェース２６）に接続し、電力供給部６０の電源スイッチを「ON」にすると、カメラレンズ２８により得られた像が画像信号として、インタフェース１６を介し小型表示装置１へ出力される。
【００９２】
受信された出力データは画像処理部１５によりデコードされ表示データとしてＲＡＭ１３へ格納される。CPU１１はＲＡＭ１３に格納されている表示データに基づいて表示部１４を制御し、表示部１４（液晶ディスプレイ８０）に画像を形成する。またCPU１１は、後述する指示部によって、画像を上下反転させて画像表示を制御することも可能である。
【００９３】
使用者は、液晶ディスプレイ８０（表示部１４）に表示された画像を見ながらシャッターチャンスおよび撮影アングルを決定する。シャッターチャンスおよび撮影アングルが決定されると、使用者により、例えば、電力供給部６０に配設されているシャッターボタン９０を押し込む。なお、ユーザは液晶ディスプレイ８０（表示部１４）に表示された画像を見ながらカメラ２０の不図示のシャッターボタンを押し込んでもよい。
【００９４】
使用者によりシャッターボタン９０が押し込まれると、液晶ディスプレイ８０（表示部１４）には、撮影された画像が静止画として表示される。カメラ２０のCPU２１にて、撮影された画像が記録処理されると、撮影している被写体が動画として液晶ディスプレイ８０（表示部１４）に再び表示される。
【００９５】
また、カメラ２０の不図示のメモリに保存された撮影画像は、カメラ２０の液晶表示部２７で再生することも、AV端子３０からケーブル４０を介して小型表示装置１で再生することも可能である。
【００９６】
液晶ディスプレイ８０（表示部１４）に表示された時、使用者の各目には、図１３に示したような状態で画像が見える。
【００９７】
図１３におけるＩは画像であり、一般的には暗い空間Ｓの中に、画像Ｉがぽっかり浮かんでいるような状態でそれは見える。画像Ｉが存在するように見える範囲が、本発明の表示範囲に相当する。なお、画像Ｉの周りにある空間Ｓは、拡大レンズ１５０の瞳に対応するものである。また、空間Ｓの周りには、鏡筒７０の先端がぼんやりと見える。鏡筒７０の先端がぼんやりとしか見えないのは、これが使用者の目の近点よりも使用者の目寄りにあるからである。
【００９８】
また、鏡筒７０の周囲には、外界Ｏが見える。外界Ｏの周縁は、使用者の目の視野に一致している。この実施形態における表示範囲の大きさは、使用者の画像Ｉを見る側の目の視野の１／３よりもずっと小さくなっている。なお、この表示範囲の画角は、この実施形態では、左右方向で２０°程度である。
【００９９】
この実施形態では、使用者は、表示範囲を見ている状態で、視線を動かすことなく、外界Ｏの景色も認識できる。また、使用者は、視線を動かせば、外界の景色をより多く見ることができる。更に前出のように小型表示装置１をレンズ面に垂直に回転することで鏡筒７０を視野から外せて視野はより広くなる。
【０１００】
上述したように、本実施の形態では、通常配置されているカメラ２０のAV端子３０（インタフェース２６）に小型表示装置１を配接して使用するため、特別な仕様のカメラを必要としない。つまり、カメラ２０の仕様に依存しない小型表示装置１を実現することが可能である。
【０１０１】
（実施例２）
第２実施形態による小型表示装置１は、図１４に示したようなものである。この小型表示装置１は、第１実施形態の小型表示装置１に、更に切替えスイッチ３００を備える構成とする。
【０１０２】
この実施例では、使用者により利き目が異なる場合でも、同様の構成で、画像表示対応できる小型表示装置１を提供するものである。
【０１０３】
なお、切替えスイッチ３００以外の構成は、第１実施形態と同一であるため、ここでは説明を省略する。
【０１０４】
切替えスイッチ３００は、使用者のどちらの目（眼鏡レンズ５１）に、小型表示装置１を取付けるかを、使用者によって切替えることができるスイッチである。図１４において、使用者は右目の眼鏡に小型表示装置１を取付けているため、切替えスイッチ３００は、図１５に示すように、右目の眼鏡に取付けた事を示す「R」に切替えられる。なお、図１のように、小型表示装置１を左目の眼鏡に取付けた場合、図１５のスイッチは左目に取付けた事を示す「L」に切替えられる。
【０１０５】
なお、本実施例において切替えスイッチ３００は、指示部の一例として機能する。次に、小型表示装置１の動作について、図１０を用いて説明する。
【０１０６】
小型表示装置１を、配接されたケーブル４０を介して、カメラ２０のAV端子３０（インタフェース２６）に接続し、電力供給部６０で電源スイッチを「ON」にすると、カメラレンズ２８により得られた像が画像信号として、インタフェース１６を介し小型表示装置１へ出力される。
【０１０７】
受信された出力データは画像処理部１５によりデコードされ表示データとしてＲＡＭ１３へ格納される。CPU１１はＲＡＭ１３に格納されている表示データに基づいて表示部１４を制御し、表示部１４（液晶ディスプレイ８０）に画像を形成する。
【０１０８】
この時、使用者が左目に小型表示装置１を取付けた場合、表示される画像は、カメラ２０で得られた像と同一である。しかし、右目に取付けた場合、小型表示装置１が上下反転されて取付けられる為（ケーブル４０が顔前面に垂れないよう）、カメラ２０で得られた像と上下反転した画像が、表示部１４（液晶ディスプレイ８０）に表示される。
【０１０９】
そこで、切替えスイッチ３００を「R」に使用者が切替えた場合、切替えスイッチ３００から「R」の電気信号をCPU１１が受信し、CPU１１は、ＲＡＭ１３に格納されている表示データに基づいて表示部１４を制御し、表示部１４（液晶ディスプレイ８０）に画像を上下反対に表示する。
【０１１０】
CPU１１は、画像が静止画像の場合、以下のような処理を行うものとすることができる。画像の１８０°回転が必要であることを示す情報が、切替えスイッチ３００から入って来た場合であって、信号が、表示部１４（液晶ディスプレイ８０）の画素と関連付けられたＸ−Ｙ座標表示を含む（但し、Ｘ＝１、２、…、ｍ、Ｙ＝１、２、…、ｎ）ものである場合、CPU１１は、元のＸ座標をｍ−Ｘに、元のＹ座標をｎ−Ｙにそれぞれ置換えてやることで、画像の１８０°回転を行う。
【０１１１】
CPU１１は、また、画像が動画像の場合、以下のような処理を行うものとすることができる。CPU１１は、画像の１８０°回転が必要であることを示す情報が、切替えスイッチ３００から入って来た場合であって、信号が、表示部１４（液晶ディスプレイ８０）の画素と関連付けられたＸ−Ｙ座標表示を含む（但し、Ｘ＝１、２、…、ｍ、Ｙ＝１、２、…、ｎ）ものである場合には、上述の場合と同様の処理を、動画の１フレーム分のデータ毎に繰り返して行うことで画像の１８０°回転を行う。
【０１１２】
また、動画の１フレーム分のデータが、所定のディスプレイの走査線に沿った一連の帯状のデータの場合、そのデータの前後を引っくり返せば、画像の１８０°回転を行える。動画の１フレーム分のデータが、所定のディスプレイの走査線に沿った一連の帯状のデータの場合、CPU１１は、このような処理を行うようなものであってもよい。
【０１１３】
また、切替えスイッチ３００を「L」に使用者が切替えた場合、CPU１１は「L」の電気信号を受信し、上述したように、表示部１４（液晶ディスプレイ８０）には、カメラ２０で得られた像と同一の画像を表示する。
【０１１４】
なお、ここでは、左目に小型表示装置１を取付けた場合、表示される画像は、カメラ２０で得られた像と同一であるとしたが、これに限定されず、右目に取付けた場合に、カメラ２０で得られた像と同一の表示をし、「L」の電気信号を受信することにより、画像を上下反転する構成としても可能である。
【０１１５】
また、例えば、公知技術であるボールを使用した正逆検知方法を小型表示装置１内部に用いて、CPU１１は、小型表示装置１が反転されたことを検知し、画像を上下反転させて、表示部１４（液晶ディスプレイ８０）に表示させることも可能である。
【０１１６】
また、マイコンからの反転コマンドにより画像を上下反転することも可能である。図１６に表示部１４における内部構成図を示す。マイコン９００は、切替えスイッチ３００から、画像を反転する信号を受信したらLCDドライバ８００に反転コマンドを送信する。反転コマンドは、例えば、アドレスXのコマンドレジスタを「０」または「１」によって、上下に変換するコマンドである。LCDドライバ８００は、ビデオデコーダ７００を介してAV信号（例えば、コンポジットビデオ信号）を受信し、マイコン９００から反転コマンドを受信していた場合、液晶ディスプレイ８０に画像を反転して表示させる。
【０１１７】
上述したように、本実施の形態では、眼鏡５０の左右どちらに、小型表示装置１を取付けた場合でも、構成を変える事無く、切替えスイッチ３００により、撮影に適した画像表示を実現できる。つまり、使用者各々の利き目に依存しない小型表示装置１を提供することが可能である。
【０１１８】
また、例えば、利用者がカメラ２０のカメラレンズ２８を自分に向け、鏡を見ているように小型表示装置１を利用することも可能である。その場合、上述した画像の上下反転方法を、左右反転に置換えた方法を用いる。利用者は、小型表示装置１を眼鏡に取付け後、鏡として使用したい場合、不図示の鏡用切替えスイッチを鏡用に切替える。スイッチからの信号により、小型表示装置１は、画像の左右反転を行い、利用者は鏡を見ているように左右反対に画像を見ることができる。
【図面の簡単な説明】
【０１１９】
【図１】本発明に係る第1実施形態におけるカメラシステムの概観を示す図である。
【図２】第１実施形態における小型表示装置１の構成を示す透視図である。
【図３】第１実施形態における小型表示装置１の構成を示す分解図である。
【図４】第１実施形態における中間部材２００の使用状態を示す側面図である。
【図５】本実施形態における支持体の変形例を示す図である。
【図６】本実施形態における支持体の他の変形例を示す図である。
【図７】図６に示す変形例によって取り付けられた様子を示す図である。
【図８】図６に示す変形例における弾性部材の一例を示す図である。
【図９】カメラ２０の内部構成の一例を示すブロック図である。
【図１０】小型表示装置１の内部構成の一例を示すブロック図である。
【図１１】電力供給部６０の内部構成の一例を示すブロック図である。
【図１２】シャッターボタン９０の内部構成の一例を示すブロック図である。
【図１３】小型表示装置１の使用時において、使用者から見える様子を説明する図である。
【図１４】第２実施形態におけるカメラシステムの概観を示す図である。
【図１５】切替えスイッチ３００の概観の一例を示す図である。
【図１６】表示部１４の内部構成の一例を示すブロック図である。
【符号の説明】
【０１２０】
１  小型表示装置
２０  カメラ
２８  カメラレンズ
３０  AV端子
４０  ケーブル
５０  眼鏡
５１  眼鏡レンズ
５２  サイドフレーム
６０  電力供給部
７０  鏡筒
８０  液晶ディスプレイ
９０  シャッターボタン
１００  穴
１１０  弾性片
１２０  ケース
１３０  変換基板
１４０  バックライトユニット
１４１  把持体
１５０  拡大レンズ
１６０  吸盤
１７１  第１軸体
１７２  第２軸体
１７３  軸受け
２００  中間部材
２２０  突出体
２２１  球体
２２２  粘着剤層
３００  切替えスイッチ
４００  クリップ
５００、６００  弾性部材
【図１】
2010041434.tif 000003
【図２】
2010041434.tif 000004
【図３】
2010041434.tif 000005
【図４】
2010041434.tif 000006
【図５】
2010041434.tif 000007
【図６】
2010041434.tif 000008
【図７】
2010041434.tif 000009
【図８】
2010041434.tif 000010
【図９】
2010041434.tif 000011
【図１０】
2010041434.tif 000012
【図１１】
2010041434.tif 000013
【図１２】
2010041434.tif 000014
【図１３】
2010041434.tif 000015
【図１４】
2010041434.tif 000016
【図１５】
2010041434.tif 000017
【図１６】
2010041434.tif 000018